(57)【要約】      （修正有）【課題】計量時に薬匙を使わず衛生且つ迅速に薬剤を調節できる粉薬剤調節器具付き蓋を提供する。【解決手段】粉薬を電子天秤で測定する場合通常はグラムで計量するが、この場合において小数点第２位（１０ｍｇ）までの秤量が必要な場合もある。極少量の計量のため従来粉薬の容器本体から粉が落ちる量を調節するために小さい穴がついた内部キャップが付いたものがあるがこれだけでは調節するのに時間がかかり、また多く出た薬剤を戻す場合は内部キャップを取り外して、薬匙等を使用し多い薬剤等の粉は容器に戻す作業が必要になる。多くの薬剤を扱う場合には薬匙を薬剤ごとに使い分けることは時間を要し、また蓋を台に置くこともあるがこれも衛生的でない場合がある。これを解消する為に計量時に薬匙を使わず衛生且つ迅速に薬剤を調節できる方法を課題とした。【選択図】図４
2011147743.tif 000002
【特許請求の範囲】
【請求項１】
本器具は薬剤などの粉末、散剤、ドライシロップ等の薬剤等の粉状の物質の入った容器の蓋内側に粉の調節機能部を取り付けて調剤の際に容器から電子天秤等の秤に取り出した粉の分量を、調節機能部を使用して調節出来きるものである。
【請求項２】
本器具は薬剤などの粉末、散剤、ドライシロップ等の薬剤等の粉状の物質の入った容器の蓋内側についている乾燥ケース部分に粉の調節機能部を取り付けて調剤の際に容器から電子天秤等の秤に取り出した粉の分量を、調節機能部を使用して調節出来きるものである。
【発明の詳細な説明】
【技術分野】
【０００１】本発明は粉薬の計量に関する技術分野
【背景技術】
【０００２】従来粉薬を電子天秤で計る場合、薬匙等を使用して天秤上に調節しながら落とすか、落とした粉の多い量を天秤上から薬匙でとり容器に戻すか、容器蓋をとり容器本体につけてある穴があいたキャップ部で粉の落とす量を調節しながら電子天秤等で量る方法が取られている。
【発明の開示】
【発明が解決しようとする課題】
【０００３】粉薬を電子天秤で計量する場合、通常はグラムで計量するがこの場合において小数点第２位（１０ｍｇ）までの秤量が必要な場合もある。極少量の計量のため従来粉薬の容器本体から粉が落ちる量を調節するために小さい穴がついた内部キャップ付き容器等があるが、容器を振ったり、たたいたりして散剤を落としていくのは正確さに欠けて、これだけでは調節するのに時間が多く掛かった。【０００４】また必要以上に多く出た薬剤を戻す場合はこの内部キャップを取り外して、薬匙等を手に持ち直して多い分は容器に戻す作業が必要になる。多くの薬剤を扱う場合には薬匙を薬剤ごとに使い分けることは面倒で時間が掛かった。【０００５】また蓋を台に置くこともあるがこれも衛生的でない場合がある。これを解消する為に計量時に薬匙を使わず衛生且つ迅速に薬剤を調節できる方法を課題とした。
【課題を解決するための手段】
【０００６】本発明は容器蓋に細工がされていて、容器本体に穴あきの内部キャップ等がないので、薬剤を容器から多く取り出す場合でも邪魔にならずスムーズに粉を出し計量出来る。【０００７】上記の課題を解決するために請求項１，２の発明は、容器の蓋内側または蓋内側についた乾燥ケース部分に調節機能部分を設けることで蓋を開け薬匙などに持ち替えずにその蓋をもったまま蓋内側についた調節部、又は乾燥ケース部についた調節部を使用して電子天秤に注いだ多すぎる薬剤を容器に戻すことが出来る。【０００８】この調節部分は蓋内側、又は蓋内側の乾燥ケース部に設置されているため容器本体と容器の蓋を合わせて収まるため衛生的に使用が出来る。
【発明の効果】
【０００９】本発明により薬剤を計量する場合、迅速かつ衛生的に薬剤を計量することが出来る。
【発明の実施するための最良の形態】
【００１０】本体には符号１のような蓋内側、又は蓋内側の乾燥ケースに取り付けた  筒を斜めにカットしたような形の板状部分が調節機能の役割をする。
【００１１】この部分は内部の粉を取り出す為のものではなく電子天秤上に注いだ粉薬剤を容器に戻す為のものであるので、この調節機能部分は長過ぎると持ち手から離れすぎて、調節しにくくなり、また粉にあたる面が多すぎると衛生的でない為、薬剤容器の底に触れないような適度な長さにしておく必要がある。
【産業上の利用可能性】
【００１２】本発明に係る粉薬剤調節器具付き蓋は工業的に量産が可能であるため、産業上の利用可能性を有する。
【図面の簡単な説明】
【００１３】
【図１】容器概観図
【図２】乾燥ケースが蓋内側にある場合の粉薬剤調節器具
【図３】乾燥剤ケースがない場合の粉薬調節器具
【図４】電子天秤等で量る時の使用図
【符号の説明】
【００１４】１    調節機能部
２    容器本体
３    容器蓋
４    乾燥剤ケース
５    乾燥剤
【図１】
2011147743.tif 000003
【図２】
2011147743.tif 000004
【図３】
2011147743.tif 000005
【図４】
2011147743.tif 000006
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
本器具は薬剤などの粉末、散剤、ドライシロップ等の薬剤等の粉状の物質の入った容器の蓋内側に粉の調節機能部を取り付けて調剤の際に容器から電子天秤等の秤に取り出した粉の分量を、調節機能部を使用して調節出来きるものである。
尚この調節機能部は容器にはじめからつけたものと、独立していてあとで、両面テープで貼ったり、蓋内側に填め込んだりする事できるものである。
【請求項２】
本器具は薬剤などの粉末、散剤、ドライシロップ等の薬剤等の粉状の物質の入った容器の蓋内側についている乾燥ケース部分に粉の調節機能部を取り付けて調剤の際に容器から電子天秤等の秤に取り出した粉の分量を、調節機能部を使用して調節出来きるものである。
尚この調節機能部は容器にはじめからつけたものと、独立していてあとで、両面テープで貼ったり、容器蓋・蓋乾燥ケース部に取付ける事ができるものである。
【手続補正２】
【補正対象書類名】明細書
【補正対象項目名】０００６
【補正方法】変更
【補正の内容】
【０００６】本発明は容器蓋に設置または細工がされていて、容器本体に穴あきの内部キャップ等がないので、薬剤を容器から多く取り出す場合でも邪魔にならずスムーズに粉を出し計量出来る。
【手続補正３】
【補正対象書類名】明細書
【補正対象項目名】０００７
【補正方法】変更
【補正の内容】
【０００７】上記の課題を解決するために請求項１，２の発明は、容器の蓋内側または蓋内側についた乾燥ケース部分に調節機能部分を取り付ける、またははじめから設けることで蓋を開け薬匙などに持ち替えずにその蓋をもったまま蓋内側についた調節部、又は乾燥ケース部についた調節部を使用して電子天秤に注いだ多すぎる薬剤を容器に戻すことが出来る。
【手続補正４】
【補正対象書類名】明細書
【補正対象項目名】００１０
【補正方法】変更
【補正の内容】
【００１０】本体には符号１のような蓋内側、又は蓋内側の乾燥ケースに取り付けた  筒を斜めにカットしたような形または筒状の内側部分が調節機能の役割をする。
【手続補正５】
【補正対象書類名】図面
【補正対象項目名】図２
【補正方法】変更
【補正の内容】
【図２】
2011147743.tif 000007
【手続補正６】
【補正対象書類名】図面
【補正対象項目名】図３
【補正方法】変更
【補正の内容】
【図３】
2011147743.tif 000008
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
本器具は薬剤などの粉末、散剤、ドライシロップ等の薬剤等の粉状の物質の入った容器の蓋内側に粉の調節機能部を取り付けて調剤の際に容器から電子天秤等の秤に取り出した粉の分量を、調節機能部を使用して調節出来きるものである。
尚この調節機能部は容器にはじめからつけたものと、独立していてあとで、両面テープで貼ったり、蓋内側に填め込んだりする事できるものである。その他、調節機能部のみをパッキンに後付けする方法もある。
【請求項２】
本器具は薬剤などの粉末、散剤、ドライシロップ等の薬剤等の粉状の物質の入った容器の蓋内側についている乾燥ケース部分に粉の調節機能部を取り付けて調剤の際に容器から電子天秤等の秤に取り出した粉の分量を、調節機能部を使用して調節出来きるものである。
尚この調節機能部は容器にはじめからつけたものと、独立していてあとで、両面テープで貼ったり、容器蓋・蓋乾燥ケース部に取付ける事ができるものである。その他、調節機能部のみを乾燥ケース部分に後付けする方法もある。
【手続補正２】
【補正対象書類名】明細書
【補正対象項目名】００１４
【補正方法】変更
【補正の内容】
【００１４】１    調節機能部
２    容器本体
３    容器蓋
４    乾燥剤ケース
５    乾燥剤
６    筒状差込口
【手続補正３】
【補正対象書類名】図面
【補正対象項目名】図５
【補正方法】追加
【補正の内容】
【図５】
2011147743.tif 000009
【手続補正４】
【補正対象書類名】図面
【補正対象項目名】図６
【補正方法】追加
【補正の内容】
【図６】
2011147743.tif 000010
【手続補正書】
【提出日】平成22年9月14日(2010.9.14)
【手続補正１】
【補正対象書類名】手続補正書
【補正対象項目名】手続補正５
【補正方法】追加
【補正の内容】
【手続補正５】
【補正対象書類名】明細書
【補正対象項目名】００１３
【補正方法】変更
【補正の内容】
【００１３】
【図１】容器概観図
【図２】乾燥ケースが蓋内側にある場合の粉薬剤調節器具
【図３】乾燥剤ケースがない場合の粉薬調節器具
【図４】電子天秤等で量る時の使用図
【図５】乾燥ケースがない場合の調節機能部後取り付け図
【図６】乾燥ケースがある場合の調節機能部後取り付け図